(57)【特許請求の範囲】
【請求項１】
口部周壁に通気口を備え可撓性を有する外層体と、
内容物を収容可能な充填空間を備えるとともに前記通気口から前記外層体との相互間に導入される空気により減容変形する内層体と、
前記口部周壁の上方に位置する天壁を備えるとともに前記充填空間に通じる導入口及び前記通気口に通じる外気導入孔を有する注出キャップと、
前記外層体を押圧する状態において前記外気導入孔を閉鎖する一方、該外層体が復元する状態において該外気導入孔を解放する逆止弁とを有する二重容器であって、
前記逆止弁を、前記口部周壁の上端面あるいは該口部周壁の上端面を覆う前記内層体と、前記天壁の裏面との間で挟み込んで保持する二重容器。
【請求項２】
前記逆止弁はドーナツ型であって、前記天壁によって挟み込まれる内縁部と、該内縁部の径方向外側に位置する弾性変形可能な中間部と、該中間部の径方向外側に位置するとともに該天壁の裏面に当接して前記外気導入孔を閉鎖する先端部とを備える請求項１に記載の二重容器。
【請求項３】
前記逆止弁は、前記先端部が膨出形状である請求項２に記載の二重容器。
【請求項４】
前記逆止弁は、前記内縁部が前記中間部よりも厚肉である請求項２又は３に記載の二重容器。
【請求項５】
前記逆止弁は、前記内縁部、前記中間部、前記先端部が略同一厚みの板状である請求項２に記載の二重容器。
【請求項６】
前記逆止弁は、厚み方向中間を境として上下が同形状である請求項２〜５の何れか一項に記載の二重容器。
【請求項７】
前記天壁は、前記先端部が当接する弁座面が前記内縁部を挟み込む挟持面と同一方向に延在する請求項２〜６の何れか一項に記載の二重容器。
【請求項８】
前記弁座面は、前記先端部に押し当たって前記中間部を弾性変形させる突出部を有する請求項７に記載の二重容器。
【請求項９】
前記天壁は、前記先端部が当接する弁座面が前記内縁部を挟み込む挟持面に対して径方向外側に向かうにつれて下向きに傾斜する請求項２〜６の何れか一項に記載の二重容器。
【発明の詳細な説明】
【技術分野】
【０００１】
本発明は、可撓性を有する外層体と、外層体の内側に収められる減容変形可能な内層体とを備え、外層体を押圧することによって内層体に収容した内容物を注出させる二重容器に関する。
【背景技術】
【０００２】
化粧水などの化粧料や、シャンプーやリンス或いは液体石鹸、また食品調味料などを収納する容器としては、可撓性を有する外層体と、外層体の内側に収められる減容変形可能な内層体とを備え、外層体を押圧することによって内層体に収容した内容物を注出させる二重容器（デラミ容器とも言う）が知られている。このような二重容器の外層体には表裏を貫く通気口（貫通孔やスリットなど）が設けられていて、押圧した外層体が復元する際には通気口を通して外層体と内層体との相互間に空気を取り込むことが可能である。これにより、内層体を減容変形させたままで外層体のみを復元させることができる。
【０００３】
このような二重容器として、例えば特許文献１には、口部周壁に通気口を有する外層体と、外層体に装着され、通気口につながる外気導入孔を有する注出キャップと、注出キャップの内側に設けられ、通常時は外気導入孔を閉鎖する一方、外層体が復元して外層体と内層体との相互間が負圧になると外気導入孔を解放する逆止弁とを備えるものが示されている。更にこの二重容器は、注出キャップの内側において外層体の上部開口を覆う中栓を備えていて、逆止弁は注出キャップと中栓とで挟み込まれて保持されている。
【先行技術文献】
【特許文献】
【０００４】
【特許文献１】特開２０１３−１５１３１６号公報
【発明の概要】
【発明が解決しようとする課題】
【０００５】
ところで近年は、環境への配慮やコスト削減の見地から部品点数をできるだけ減らす取り組みが積極的に進められていて、このような二重容器においても部品点数の削減が求められている。
【０００６】
このため本発明では、特に二重容器に用いる逆止弁に着目して、逆止弁の周辺に係わる部材の部品点数を削減することを課題とし、これによって省資源化及びコスト削減を図ることができる二重容器を提案することを目的とする。
【課題を解決するための手段】
【０００７】
本発明は、口部周壁に通気口を備え可撓性を有する外層体と、
内容物を収容可能な充填空間を備えるとともに前記通気口から前記外層体との相互間に導入される空気により減容変形する内層体と、
前記口部周壁の上方に位置する天壁を備えるとともに前記充填空間に通じる導入口及び前記通気口に通じる外気導入孔を有する注出キャップと、
前記外層体を押圧する状態において前記外気導入孔を閉鎖する一方、該外層体が復元する状態において該外気導入孔を解放する逆止弁とを有する二重容器であって、
前記逆止弁を、前記口部周壁の上端面あるいは該口部周壁の上端面を覆う前記内層体と、前記天壁の裏面との間で挟み込んで保持する二重容器である。
【０００８】
前記逆止弁はドーナツ型であって、前記天壁によって挟み込まれる内縁部と、該内縁部の径方向外側に位置する弾性変形可能な中間部と、該中間部の径方向外側に位置するとともに該天壁の裏面に当接して前記外気導入孔を閉鎖する先端部とを備えることが好ましい。
【０００９】
前記逆止弁は、前記先端部が膨出形状であることが好ましい。
【００１０】
前記逆止弁は、前記内縁部が前記中間部よりも厚肉であることが好ましい。
【００１１】
前記逆止弁は、前記内縁部、前記中間部、前記先端部が略同一厚みの板状であることが好ましい。
【００１２】
前記逆止弁は、厚み方向中間を境として上下が同形状であることが好ましい。
【００１３】
前記天壁は、前記先端部が当接する弁座面が前記内縁部を挟み込む挟持面と同一方向に延在することが好ましい。
【００１４】
前記弁座面は、前記先端部に押し当たって前記中間部を弾性変形させる突出部を有することが好ましい。
【００１５】
前記天壁は、前記先端部が当接する弁座面が前記内縁部を挟み込む挟持面に対して径方向外側に向かうにつれて下向きに傾斜することが好ましい。
【発明の効果】
【００１６】
本発明の逆止弁は、従来のように注出キャップと中栓とで挟み込まれて保持されるものではなく、注出キャップと外層体（或いは内層体を介した外層体）とで保持するものである。すなわち、従来の二重容器で使用していた中栓が不要となるため部品点数を減らすことができる。
【００１７】
このような逆止弁は、外気導入孔だけを覆うように局所的に設けることも可能であるが、この場合の逆止弁の取り付けは、外気導入孔に対して位置合わせを行う必要がある。一方、逆止弁をドーナツ型とする場合は位置合わせが不要となるため、取り付け時の作業性が向上する。
【００１８】
また逆止弁としては、例えば先端部が膨出形状であるもの、内縁部が中間部よりも厚肉であるもの、内縁部、中間部、及び先端部が略同一厚みの板状であるなど、種々の形態のものを採用することが可能である。なお逆止弁は、厚み方向中間を境として上下が同形状であることが好ましく、この場合は表裏の区別無く取り付けることができる。
【００１９】
また注出キャップの天壁も種々の形態のものを採用することができ、例えば逆止弁の先端部が当接する弁座面が内縁部を挟み込む挟持面と同一方向に延在するもの、或いは弁座面が挟持面に対して径方向外側に向かうにつれて下向きに傾斜するものなどが挙げられる。なお、弁座面が挟持面と同一方向に延在するものについては、弁座面に、逆止弁の先端部に押し当たって中間部を弾性変形させる突出部を設けることで、逆止弁の先端部を押下げることができるため、外気導入孔をより確実に閉鎖することができる。
【図面の簡単な説明】
【００２０】
【図１】本発明に従う二重容器の第一実施形態を示す断面図及び部分拡大断面図である。
【図２】（ａ）は本発明に従う二重容器の第二実施形態を示す部分拡大断面図であり、（ｂ）、（ｃ）はその変形例を示す図である。
【図３】（ａ）は本発明に従う二重容器の第三実施形態を示す部分拡大断面図であり、（ｂ）はその変形例を示す図である。
【図４】（ａ）は本発明に従う二重容器の第四実施形態を示す部分拡大断面図であり、（ｂ）は本発明に従う二重容器の第五実施形態を示す部分拡大断面図である。
【発明を実施するための形態】
【００２１】
以下、図面を参照して、本発明をより具体的に説明する。なお、本明細書、特許請求の範囲、及び要約書において、「上」、「下」とは、二重容器を水平面上に載置した姿勢（正立姿勢）での向きをいう。
【００２２】
図１において、符号Ａは本発明に従う二重容器の第一実施形態を示している。二重容器Ａは、外層体１、内層体２、逆止弁（空気用逆止弁）３、注出キャップ４、内容物用逆止弁５、蓋体６で構成されている。
【００２３】
外層体１は合成樹脂で形成されていて、円筒状の口部周壁１ａに可撓性を有する有底筒状の胴体（不図示）を連結していて、全体としてボトル状に形成されたものである。口部周壁１ａの外周面には凹部１ｂが設けられていて、凹部１ｂを設けた部位には口部周壁１ａの表裏を貫く貫通孔（通気口）１ｃが設けられている。また口部周壁１ａの外周面において、通気口１ｃの下方には径方向外側に向けて突出する突起１ｄが設けられている。
【００２４】
内層体２は薄肉の合成樹脂製であって、減容変形することができる。また内層体２の内側には、内容物を収容するための充填空間Ｓが設けられている。
【００２５】
本実施形態の外層体１と内層体２は、相互に相溶性が低い合成樹脂を剥離可能に積層させたものである。このような外層体１と内層体２は、外層体１を形成する合成樹脂素材と内層体２を形成する合成樹脂素材とが積層されたパリソンを、ブロー成形することによって得ることができる。なお他にも、外層体１を形成する合成樹脂素材と内層体２を形成する合成樹脂素材とを積層させた試験管状のプリフォームを準備し、このプリフォームを２軸延伸ブロー成形して形成することや、外層体及び内層体を個別に形成し、その後、内層体を外層体内に装着したものなど、種々の方法で形成することができる。
【００２６】
外層体１の口部周壁１ａの上方には、空気用逆止弁３が設けられている。空気用逆止弁３は、外縁が円形をなすとともに中心に円形の孔を有するドーナツ型である。また、図１の部分拡大断面図に示すように空気用逆止弁３は、口部周壁１ａの上端面に覆い被さった内層体２に接する内縁部３ａと、内縁部３ａの径方向外側に位置する弾性変形可能な中間部３ｂと、中間部３ｂの径方向外側に位置する先端部３ｃとで構成されている。本実施形態の空気用逆止弁３は、内縁部３ａと中間部３ｂとは略同一厚みの板状であって、先端部３ｃは、表面が丸みを帯びた膨出形状となっている。また空気用逆止弁３は、厚み方向中間（図１では符号Ｍを付して二点鎖線で示す）を境として上下が同形状であるので、表裏の区別無く取り付けることができる。なお空気用逆止弁３は、ゴムやエラストマー（軟質ポリエチレン等）のような軟質材の他、合成樹脂製のフィルム等で形成することができる。
【００２７】
注出キャップ４は、口部周壁１ａを取り囲む円筒状の外周壁４ａを備えている。外周壁４ａの内面には、突起１ｄに係合して注出キャップ４を抜け止め保持する爪部４ｂが設けられている。なお、外層体１と注出キャップ４とは、突起１ｄ及び爪部４ｂに換えて雄ねじや雌ねじを設けてねじ結合するようにしてもよい。
【００２８】
外周壁４ａの上端には、板状の天壁４ｃが設けられている。天壁４ｃには、上方に向けて起立するとともにその先端部を径方向外側に湾曲させてリップを形成した注出筒４ｄと、注出筒４ｄの内面から下方に向けて延在する円筒状の筒状部４ｅと、筒状部４ｅの下端において開口して充填空間Ｓに通じる導入口４ｆとが設けられている。筒状部４ｅの下部には、下方に向かうにつれて径が小さくなる縮径部４ｇが設けられている。また筒状部４ｅの内面には、上部が径方向内側に向けて湾曲するリブ４ｈが設けられている。
【００２９】
また筒状部４ｅの径方向外側には、外層体１との間で内層体２を挟み込んで充填空間Ｓからの内容物の漏れ出しを阻止するシール壁４ｊが設けられている。
【００３０】
更にシール壁４ｊの外側には、空気用逆止弁３の上方において、天壁４ｃを上下方向に貫く貫通孔（外気導入孔）４ｋが設けられている。ここで、外気導入孔４ｋの径方向内側における天壁４ｃの裏面（挟持面）４ｍは、注出キャップ４を外層体１に装着した状態において、口部周壁１ａの上端面に覆い被さった内層体２との間で内縁部３ａを挟み込むため、空気用逆止弁３を保持することができる。このように本実施形態の二重容器Ａは、従来の二重容器で用いていた中栓を使用することなく空気用逆止弁３を保持することができる。なおこの状態において、外気導入孔４ｋの径方向外側における天壁４ｃの裏面（弁座面）４ｎには先端部３ｃが当接していて、外気導入孔４ｋを閉鎖している。また本実施形態の弁座面４ｎは、挟持面４ｍに対し、空気用逆止弁３における膨出形状の先端部３ｃの分だけ上方に位置する一方、挟持面４ｍと同一方向（水平方向）に延在している。
【００３１】
内容物用逆止弁５は球状をなしていて、筒状部４ｅ内において移動可能に設けられている。内容物用逆止弁５は、図１に示すように二重容器Ａを正立姿勢にした状態において、縮径部４ｇの内周面に対して全周に亘って当接していて、これにより充填空間Ｓ内の内容物と外気との接触を阻止している。なお、二点鎖線で示す内容物用逆止弁５は、蓋体６を閉めた状態において上方へ移動した状態を示している。
【００３２】
蓋体６は、天壁４ｃの上方に位置する板状の頂壁６ａと、頂壁６ａの外縁から下方に延在するとともに外周壁４ａと連なる形状になる外壁６ｂとを備えている。ここで外周壁４ａと外壁６ｂとは、ヒンジｈを介して一体に連結している。また外壁６ｂには、ヒンジｈを設けた側と反対側において、水平方向に延在する形状をなし、開閉時に指をかける部位となる指掛け部６ｃが設けられている。なお、ヒンジｈを省略して注出キャップ４と蓋体６とを別体とし、ねじ結合によって蓋体６を保持するようにしてもよい。
【００３３】
頂壁６ａの裏面には、蓋体６を閉めた状態において筒状部４ｅの内周面に当接する筒状のシール筒６ｄと、シール筒６ｄの径方向内側に位置するとともに蓋体６を閉めた状態において内容物用逆止弁５が筒状部４ｅから抜け出すのを阻止する棒状部６ｅとが設けられている。
【００３４】
このような構造になる二重容器Ａから内容物を注出するにあたっては、蓋体６を開いた後、外層体１を正立姿勢から傾倒姿勢に姿勢変更して、外層体１における不図示の胴体を押圧する。これによって、外層体１と内層体２との相互間に存在する空気を介して充填空間Ｓが加圧される結果、充填空間Ｓの内容物が導入口４ｆから筒状部４ｅに入り込み、注出筒４ｄから内容物が注出される。なお、空気用逆止弁３の先端部３ｃは、注出キャップ４の弁座面４ｎに当接して外気導入孔４ｋは閉鎖されているので、外層体１と内層体２との相互間に存在する空気が外気導入孔４ｋから漏れ出すことはない。
【００３５】
内容物を注出した後、外層体１の胴体への押圧を解除すると、外層体１はそれ自身の復元力によって元の形状に戻ろうとするため、外層体１と内層体２との相互間は負圧状態になる。そして、外気圧によって空気用逆止弁３の中間部３ｂが弾性変形するとともに先端部３ｃが弁座面４ｎから離反して、外気導入孔４ｋを介して外層体１と内層体２との相互間に空気が取り込まれる。これにより内層体２を減容変形させたまま、外層体１だけを復元させることができる。
【００３６】
次に、本発明に従う二重容器の第二実施形態について、図２（ａ）〜（ｃ）を参照しながら説明する。図２（ａ）に示す二重容器Ｂは、上述した二重容器Ａに対して、空気用逆止弁３に換えて空気用逆止弁１３を設け、注出キャップ４に換えて注出キャップ１４を設けたものである。
【００３７】
空気用逆止弁１３は、空気用逆止弁３と同様に、外縁が円形をなすとともに中心に円形の孔を有するドーナツ型である。また空気用逆止弁１３は、内縁部１３ａ、中間部１３ｂ、先端部１３ｃが略同一厚みの板状になっている。このように空気用逆止弁１３は全体として略同一厚みであるので、例えば薄手のシートを打ち抜いて形成することができる。なお、このような打ち抜きによって空気用逆止弁１３を形成する場合には、上下逆さまにした注出キャップ１４の上方でシートを打ち抜いた後、それをそのまま注出キャップ１４の内側に押し込むことも可能である。この場合は、注出キャップ１４に対して空気用逆止弁１３を効率よくセットすることができるので、組み立て工数を減らすことができる。
【００３８】
また注出キャップ１４は、注出キャップ４の弁座面４ｎに換えて弁座面１４ｎを備える一方、天壁１４ｃ、外気導入孔１４ｋ及び挟持面１４ｍをはじめとするその他の部位は注出キャップ４と同一形状をなすものである。ここで弁座面１４ｎは、挟持面１４ｍと同一高さに位置し、また挟持面１４ｍと同一方向（水平方向）に延在している。
【００３９】
このような二重容器Ｂによれば、先端部１３ｃと弁座面１４ｎとを面接触させることができる。なお、空気用逆止弁１３の取り付け具合や注出キャップ１４の形状精度によっては、先端部１３ｃと弁座面１４ｎとの間に僅かに隙間が生じることがある。このようなおそれがある場合は、図２（ｂ）に示すように、弁座面１４ｎに下方に向けて突出して弁座面１４ｎとの間で小段差を形成する突出部１４ｐを設け、空気用逆止弁１３を僅かに変形させることが好ましい。これにより、先端部１３ｃと突出部１４ｐとを密着させることができるため、外気導入孔１４ｋをより確実に閉鎖することができる。
【００４０】
このような空気用逆止弁１３は、注出キャップ１４に装着後、外層体１に取り付ける前に注出キャップ１４から脱落するのを防止するため、シール壁４iの外周面に突部を設けることができるが、注出キャップ１４に取り付ける際にシール壁４ｊの表面を傷つけてしまい、シール壁４ｊのシール性が損なわれる懸念がある。このため、図２（ｃ）に示すように外周壁４ａの内周面に突部ｔを設けて脱落防止を図ることが好ましい。ここで突部ｔは、外周壁４ａを１周に亘って周回する環状でもよいし、周方向に部分的に設けた間欠状でもよい。また空気用逆止弁１３は、図２（ａ）、（ｂ）に示すように外縁が円形となるドーナツ型でもよく、また図２（ｃ）に示すように、外縁が円形であって中心に円形の孔を有するドーナツ型を基本形状とし、更に円形の外縁から径方向外側に部分的に突出する部分を有する形態をなすものでもよい。
【００４１】
図３（ａ）、（ｂ）は、本発明に従う二重容器の第三実施形態を示している。本実施形態の二重容器Ｃは、先に説明した二重容器Ａに対して、空気用逆止弁３に換えて二重容器Ｂと同様の空気用逆止弁１３を設け、また注出キャップ４に換えて注出キャップ２４を設けたものである。
【００４２】
注出キャップ２４は、注出キャップ４の弁座面４ｎに換えて弁座面２４ｎを備える一方、天壁２４ｃ、外気導入孔２４ｋ及び挟持面２４ｍをはじめとするその他の部位は注出キャップ４と同一形状をなすものである。弁座面２４ｎは、挟持面２４ｍに対して径方向外側に向かうにつれて下向きに傾斜するものである。
【００４３】
また空気用逆止弁１３は、図３（ａ）に示すように少なくとも先端部１３ｃが弁座面２４ｎに当接するように設けられている。
【００４４】
このような二重容器Ｃにあっても、通常時は空気用逆止弁１３が弁座面２４ｎに当接して外気導入孔２４ｋが閉鎖される一方、内容物を注出させた後に外層体１が復元する際には、空気用逆止弁１３が弁座面２４ｎから離反して外気導入孔２４ｋが解放されるため、内層体２を減容変形させたまま外層体１のみを復元させることができる。
【００４５】
なお、図３（ａ）に示す空気用逆止弁１３は、弁座面２４ｎに対して線接触するものであるため、取り付け具合や形状の精度によっては弁座面２４ｎとの間に僅かに隙間が生じるおそれがある。このため空気用逆止弁１３は、図３（ｂ）に示すように長めに形成して先端部１３ｃが弁座面２４ｎに沿うようにすることがより好ましい。
【００４６】
また本発明に従う二重容器は、図４（ａ）に示すような構成にすることも可能である。図４（ａ）に示す第四実施形態の二重容器Ｄは、第一実施形態である二重容器Ａに対して、空気用逆止弁３に換えて空気用逆止弁３３を備え、注出キャップ４に換えて注出キャップ３４を備えるものである。
【００４７】
空気用逆止弁３３はドーナツ型であって、内縁部３３ａは中間部３３ｂよりも肉厚に形成されている。また先端部３３ｃは、表面が丸みを帯びた膨出形状となっている。また空気用逆止弁３３も空気用逆止弁３と同様に、厚み方向中間を境として上下が同形状である。
【００４８】
注出キャップ３４は、注出キャップ４の挟持面４ｍ及び弁座面４ｎに換えて挟持面３４ｍ及び弁座面３４ｎを備える一方、天壁３４ｃ及び外気導入孔３４ｋをはじめとするその他の部位は注出キャップ４と同一形状をなすものである。なお挟持面３４ｍは、図１に示す挟持面４ｍに対して内縁部３３ａの肉厚が厚くなった分だけ上方に位置している。また弁座面３４ｎは、挟持面３４ｍよりも上方に位置するとともに挟持面３４ｍと同一方向（水平方向）に延在している。
【００４９】
このような二重容器Ｄにおいても、これまでに説明した二重容器Ａ〜Ｃと同様に、空気用逆止弁３３によって外気導入孔３４ｋを閉鎖或いは解放することができる。また空気用逆止弁３３は内縁部３３ａが中間部３３ｂよりも肉厚に形成されているため、金型での成形が行いやすくなる。また内縁部３３ａの剛性が高まるので、天壁３４ｃによる挟み込みがより強固に行えるようになる。
【００５０】
また本発明に従う二重容器は、図４（ｂ）に示すような構成にすることも可能である。図４（ｂ）に示す第五実施形態の二重容器Ｅは、第一実施形態である二重容器Ａに対して、空気用逆止弁３に換えて空気用逆止弁４３を備え、注出キャップ４に換えて注出キャップ４４を備えるものである。
【００５１】
空気用逆止弁４３もドーナツ型であって、内縁部４３ａは中間部４３ｂよりも肉厚である。また先端部４３ｃは中間部４３ｂに対して略同一の肉厚である。更に空気用逆止弁４３も、厚み方向中間を境として上下が同形状である。
【００５２】
注出キャップ４４は、注出キャップ４の挟持面４ｍ及び弁座面４ｎに換えて挟持面４４ｍ及び弁座面４４ｎを備える一方、天壁４４ｃ及び外気導入孔４４ｋをはじめとするその他の部位は注出キャップ４と同一形状をなすものである。ここで挟持面４４ｍは、図１に示す挟持面４ｍに対して内縁部４３ａの肉厚が厚くなった分だけ上方に位置している。また弁座面３４ｎは、挟持面３４ｍよりも下方に位置するとともに挟持面３４ｍと同一方向（水平方向）に延在している。
【００５３】
このような二重容器Ｅにおいても、空気用逆止弁４３によって外気導入孔４４ｋを閉鎖或いは解放することができる。また空気用逆止弁４３も、空気用逆止弁３３と同様に内縁部４３ａが中間部４３ｂよりも肉厚に形成されているため、金型での成形が行いやすくなるうえ、剛性が高まって天壁４４ｃによる挟み込みがより強固に行えるようになる。
【００５４】
本発明に従う二重容器は、本実施形態に限定されるものではなく、特許請求の範囲に従う範囲で種々の変更が可能である。例えば本実施形態の注出キャップは、筒状部を設けてその下端を導入口とするとともに筒状部の内側に球状の内容物用逆止弁を備えるものであるが、例えば筒状部を省略して天壁に設けた貫通孔を導入口とし、また内容物逆止弁を弾性変形可能な三点弁等の如き形態にしてもよい。また、上述した実施形態では口部周壁の上端面が内層体で覆われていて、空気用逆止弁は内層体を介して口部周壁に挟み込まれているが、内層体で覆うことなく口部周壁の上端面で直接空気用逆止弁を挟み込むようにしてもよい。更に、図２（ｂ）に示す弁座面に設けた突出部や、図２（ｃ）に示す突部は、他の実施形態に適用してもよい。
【符号の説明】
【００５５】
１：外層体
１ａ：口部周壁
１ｂ：凹部
１ｃ：通気口
１ｄ：突起
２：内層体
３：空気用逆止弁（逆止弁）
３ａ：内縁部
３ｂ：中間部
３ｃ：先端部
４：注出キャップ
４ａ：外周壁
４ｂ：爪部
４ｃ：天壁
４ｄ：注出筒
４ｅ：筒状部
４ｆ：導入口
４ｇ：縮径部
４ｈ：リブ
４ｊ：シール壁
４ｋ：外気導入孔
４ｍ：挟持面
４ｎ：弁座面
５：内容物用逆止弁
６：蓋体
６ａ：頂壁
６ｂ：外壁
６ｃ：指掛け部
６ｄ：シール筒
６ｅ：棒状部
１３：空気用逆止弁
１３ａ：内縁部
１３ｂ：中間部
１３ｃ：先端部
１４：注出キャップ
１４ｃ：天壁
１４ｋ：外気導入孔
１４ｍ：挟持面
１４ｎ：弁座面
１４ｐ：突出部
２４：注出キャップ
２４ｃ：天壁
２４ｋ：外気導入孔
２４ｍ：挟持面
２４ｎ：弁座面
３３：空気用逆止弁
３３ａ：内縁部
３３ｂ：中間部
３３ｃ：先端部
３４：注出キャップ
３４ｃ：天壁
３４ｋ：外気導入孔
３４ｍ：挟持面
３４ｎ：弁座面
４３：空気用逆止弁
４３ａ：内縁部
４３ｂ：中間部
４３ｃ：先端部
４４：注出キャップ
４４ｃ：天壁
４４ｋ：外気導入孔
４４ｍ：挟持面
４４ｎ：弁座面
Ａ〜Ｅ：二重容器
Ｓ：充填空間
ｈ：ヒンジ
【図１】
0006636853.tif 000002
【図２】
0006636853.tif 000003
【図３】
0006636853.tif 000004
【図４】
0006636853.tif 000005